(57)【要約】【課題】電気的接触面および記憶媒体を備えながら、小型を維持できる現像カートリッジを提供する。【解決手段】  現像カートリッジ１は、筐体２と、現像ローラ３と、アジテータ５と、カップリング１１と、第１アイドルギア１４と、第２アイドルギア１５と、アジテータギア１６と、記憶媒体１９とを備える。筐体２は、フレーム２Ａと蓋２Ｂとを有する。電気的接触面２１は、現像ローラ３からアジテータ５に向かう第２方向において、現像ローラ３からアジテータギア１６よりも離れて位置する。また、電気的接触面２１は、フレーム２Ａと蓋２Ｂとが向かい合う第１方向において、筐体２の他端部Ｅ２よりも一端部Ｅ１の近くに位置する。また、電気的接触面２１は、現像ローラ３が延びる第３方向において、フレーム２Ａの外面Ｓ１からアジテータギア１６よりも離れて位置する。【選択図】図３
2019174626.tif 000002
【特許請求の範囲】
【請求項１】
フレームと、前記フレームと第１方向において向かい合う蓋とを含む筐体であって、前記フレームと前記蓋との間に現像剤を収容可能な筐体において、前記第１方向における前記筐体の一端部と、前記第１方向において前記一端部と離れた他端部であって、前記一端部よりも前記蓋の近くに位置する他端部とを有する筐体と、
第２方向における前記筐体の端部に位置する現像ローラであって、第３方向に延びる第１軸について回転可能な現像ローラと、
前記現像剤を攪拌可能なアジテータであって、前記第３方向に延びる第２軸について回転可能なアジテータと、
前記第２方向において前記現像ローラと前記アジテータとの間に位置し、前記第３方向に延びる第３軸について回転可能なカップリングであって、カップリングギアを有するカップリングと、
前記カップリングギアと噛み合う、かつ、前記第３方向に延びる第４軸について回転可能な第１アイドルギアであって、前記第３方向における前記フレームの外面に位置する第１アイドルギアと、
前記第１アイドルギアとともに前記第４軸について回転可能であり、前記フレームの前記外面に位置し、かつ、前記第３方向において前記第１アイドルギアよりも前記フレームの前記外面から離れて位置する第２アイドルギアと、
前記アジテータに装着され、前記アジテータとともに回転可能なアジテータギアであって、前記フレームの前記外面に位置するアジテータギアであり、前記第２アイドルギアに噛み合うアジテータギアと、
前記第３方向において前記フレームの前記外面から前記アジテータギアよりも離れて位置する電気的接触面であって、前記第２方向において、前記現像ローラから前記アジテータギアよりも離れて位置する電気的接触面であり、前記第１方向において、前記他端部よりも前記一端部の近くに位置する電気的接触面と、
前記電気的接触面と電気的に接続された記憶媒体と
を備えることを特徴とする現像カートリッジ。
【請求項２】
前記記憶媒体は、前記電気的接触面を有し、前記第３方向において前記フレームの前記外面から前記アジテータギアよりも離れて位置し、前記第２方向において、前記現像ローラから前記アジテータギアよりも離れて位置し、前記第１方向において、前記他端部よりも前記一端部の近くに位置することを特徴とする請求項１に記載の現像カートリッジ。
【請求項３】
前記電気的接触面は、前記第１方向において、前記一端部に対して前記他端部の反対側に位置することを特徴とする請求項１または請求項２に記載の現像カートリッジ。
【請求項４】
前記現像カートリッジは、感光ドラムと、前記感光ドラムを回転可能に支持するドラムフレームとを備えるドラムカートリッジに装着可能であり、
前記ドラムフレームは、前記第２方向における一端部と、前記第２方向において前記感光ドラムに対して前記ドラムフレームの前記一端部の反対側に位置する他端部であって、前記第２方向において前記ドラムフレームの前記一端部よりも前記感光ドラムから離れて位置する他端部と、を有し、
前記現像カートリッジが前記ドラムカートリッジに装着された状態で、前記電気的接触面は、前記第２方向において、前記ドラムフレームの前記他端部に対して前記感光ドラムの反対側に位置することを特徴とする請求項１から請求項３のいずれか一項に記載の現像カートリッジ。
【請求項５】
フレームと、前記フレームと第１方向において向かい合う蓋とを含む筐体であって、前記フレームと前記蓋との間に現像剤を収容可能な筐体において、前記第１方向における前記筐体の一端部と、前記第１方向において前記一端部と離れた他端部であって、前記一端部よりも前記蓋の近くに位置する他端部とを有する筐体と、
第２方向における前記筐体の端部に位置する現像ローラであって、第３方向に延びる第１軸について回転可能な現像ローラと、
前記現像剤を攪拌可能なアジテータであって、前記第３方向に延びる第２軸について回転可能なアジテータと、
前記第２方向において前記現像ローラと前記アジテータとの間に位置し、前記第３方向に延びる第３軸について回転可能なカップリングであって、カップリングギアを有するカップリングと、
前記カップリングギアと噛み合う、かつ、前記第３方向に延びる第４軸について回転可能な第１アイドルギアであって、前記第３方向における前記フレームの外面に位置する第１アイドルギアと、
前記第１アイドルギアとともに前記第４軸について回転可能であり、前記フレームの前記外面に位置し、かつ、前記第３方向において前記第１アイドルギアよりも前記フレームの前記外面から離れて位置する第２アイドルギアと、
前記アジテータに装着され、前記アジテータとともに回転可能なアジテータギアであって、前記フレームの前記外面に位置するアジテータギアであり、前記第２アイドルギアに噛み合うアジテータギアと、
前記第３方向において前記アジテータギアと前記フレームの前記外面との間に位置する電気的接触面であって、前記第２方向において、前記現像ローラから前記カップリングよりも離れて位置する電気的接触面であり、前記第１方向において、前記他端部よりも前記一端部の近くに位置する電気的接触面と、
前記電気的接触面と電気的に接続された記憶媒体と
を備えることを特徴とする現像カートリッジ。
【請求項６】
前記記憶媒体は、前記電気的接触面を有し、前記アジテータギアと前記フレームの前記外面との間に位置し、前記第２方向において、前記現像ローラから前記アジテータギアよりも離れて位置し、前記第１方向において、前記他端部よりも前記一端部の近くに位置することを特徴とする請求項５に記載の現像カートリッジ。
【請求項７】
前記現像カートリッジは、感光ドラムと、前記感光ドラムを回転可能に支持するドラムフレームとを備えるドラムカートリッジに装着可能であり、
前記ドラムフレームは、第２方向における一端部と、前記第２方向において前記感光ドラムに対して前記ドラムフレームの前記一端部の反対側に位置する他端部であって、前記第２方向において前記ドラムフレームの前記一端部よりも前記感光ドラムから離れて位置する他端部と、前記第２方向において前記一端部と前記他端部との間に位置する開口と、を有し、
前記現像カートリッジが前記ドラムカートリッジに装着された状態で、前記電気的接触面は、前記ドラムフレームの前記開口から露出することを特徴とする請求項５または請求項６に記載の現像カートリッジ。
【請求項８】
前記現像カートリッジは、
前記フレームの前記外面に位置し、前記第１方向に延びる取付部であって、前記第１方向における一端と、前記第１方向において前記蓋から前記一端よりも離れて位置する他端と、を有する取付部を、さらに備え、
前記電気的接触面は、前記取付部の前記他端に取り付けられることを特徴とする請求項５から請求項７のいずれか一項に記載の現像カートリッジ。
【発明の詳細な説明】
【技術分野】
【０００１】
本開示は、現像カートリッジに関する。
【背景技術】
【０００２】
従来、現像カートリッジは、筐体と、現像ローラと、アジテータと、カップリングと、第１アイドルギアと、第２アイドルギアと、アジテータギアとを備える。筐体は、現像剤を収容可能である。アジテータは、現像剤を攪拌可能である。カップリングは、カップリングギアを有する。第１アイドルギアは、カップリングギアと噛み合う。第２アイドルギアは、第１アイドルギアとともに回転可能である。アジテータギアは、アジテータとともに回転可能であり、第２アイドルギアに噛み合う（下記特許文献１参照）。
【先行技術文献】
【特許文献】
【０００３】
【特許文献１】特開２０１６−１４５９０６号公報
【発明の概要】
【発明が解決しようとする課題】
【０００４】
ここで、上記した特許文献１に記載される現像カートリッジに、小型を維持しつつ記憶媒体を設けたいという要望がある。
【０００５】
そこで、本開示の目的は、電気的接触面および記憶媒体を備えながら、小型を維持できる現像カートリッジを提供することにある。
【課題を解決するための手段】
【０００６】
（１）本開示の現像カートリッジは、筐体と、現像ローラと、アジテータと、カップリングと、第１アイドルギアと、第２アイドルギアと、アジテータギアと、電気的接触面と、記憶媒体とを備える。
【０００７】
筐体は、フレームと、蓋とを含む。蓋は、フレームと第１方向において向かい合う。筐体は、フレームと蓋との間に現像剤を収容可能である。筐体は、第１方向における筐体の一端部と、第１方向において一端部と離れた他端部とを有する。他端部は、一端部よりも蓋の近くに位置する。
【０００８】
現像ローラは、第２方向における筐体の端部に位置する。現像ローラは、第３方向に延びる第１軸について回転可能である。
【０００９】
アジテータは、現像剤を攪拌可能である。アジテータは、第３方向に延びる第２軸について回転可能である。
【００１０】
カップリングは、第２方向において現像ローラとアジテータとの間に位置する。カップリングは、第３方向に延びる第３軸について回転可能である。カップリングは、カップリングギアを有する。
【００１１】
第１アイドルギアは、カップリングギアと噛み合う。第１アイドルギアは、第３方向に延びる第４軸について回転可能である。第１アイドルギアは、第３方向におけるフレームの外面に位置する。
【００１２】
第２アイドルギアは、第１アイドルギアとともに第４軸について回転可能である。第２アイドルギアは、フレームの外面に位置する。第２アイドルギアは、第３方向において第１アイドルギアよりもフレームの外面から離れて位置する。
【００１３】
アジテータギアは、アジテータに装着される。アジテータギアは、アジテータとともに回転可能である。アジテータギアは、フレームの外面に位置する。アジテータギアは、第２アイドルギアに噛み合う。
【００１４】
電気的接触面は、第３方向においてフレームの外面からアジテータギアよりも離れて位置する。電気的接触面は、第２方向において、現像ローラからアジテータギアよりも離れて位置する。電気的接触面は、第１方向において、他端部よりも一端部の近くに位置する。
【００１５】
記憶媒体は、電気的接触面と電気的に接続される。
【００１６】
このような構成によれば、電気的接触面は、現像ローラ、カップリングおよびアジテータギアを避けたスペースに配置される。
【００１７】
詳しくは、電気的接触面は、第３方向においてフレームの外面からアジテータギアよりも離れて位置する。つまり、電気的接触面は、第３方向においてアジテータギアの外側のスペースを利用して配置される。
【００１８】
また、電気的接触面は、第２方向において、現像ローラからカップリングよりも離れて位置し、第１方向において、他端部よりも一端部の近く、すなわち、筐体の蓋から離れて位置する。つまり、電気的接触面は、現像ローラやカップリングから離れたスペースであって、筐体の蓋から離れたスペースを利用して配置される。
【００１９】
これにより、現像カートリッジの大型化を抑制しつつ、現像カートリッジに電気的接触面および記憶媒体を設けることができる。言い換えると、現像カートリッジは、電気的接触面および記憶媒体を備えながら、小型を維持できる。
【００２０】
（２）記憶媒体は、電気的接触面を有してもよい。この場合、記憶媒体は、第３方向においてフレームの外面からアジテータギアよりも離れて位置し、第２方向において、現像ローラからアジテータギアよりも離れて位置し、第１方向において、他端部よりも一端部の近くに位置する。
【００２１】
（３）電気的接触面は、第１方向において、一端部に対して他端部の反対側に位置してもよい。
【００２２】
（４）現像カートリッジは、ドラムカートリッジに装着可能であってもよい。この場合、ドラムカートリッジは、感光ドラムと、ドラムフレームとを備える。ドラムフレームは、感光ドラムを回転可能に支持する。ドラムフレームは、第２方向における一端部と、他端部とを有する。他端部は、第２方向において、感光ドラムに対してドラムフレームの一端部の反対側に位置する。他端部は、第２方向において、ドラムフレームの一端部よりも感光ドラムから離れて位置する。現像カートリッジがドラムカートリッジに装着された状態で、電気的接触面は、第２方向において、ドラムフレームの他端部に対して感光ドラムの反対側に位置する。
【００２３】
（５）電気的接触面は、第３方向において、アジテータギアとフレームの外面との間に位置し、第２方向において、現像ローラからカップリングよりも離れて位置し、第１方向において、他端部よりも一端部の近くに位置してもよい。
【００２４】
（６）記憶媒体は、電気的接触面を有してもよい。この場合、アジテータギアとフレームの外面との間に位置し、第２方向において、現像ローラからカップリングよりも離れて位置し、第１方向において、他端部よりも一端部の近くに位置してもよい。
【００２５】
（７）ドラムフレームは、開口を有してもよい。この場合、開口は、第２方向において、一端部と他端部との間に位置する。現像カートリッジがドラムカートリッジに装着された状態で、電気的接触面は、ドラムフレームの開口から露出する。
【００２６】
（８）現像カートリッジは、取付部を、さらに備えてもよい。取付部は、フレームの外面に位置し、第１方向に延びる。取付部は、第１方向における一端と、他端とを有する。他端は、第１方向において、蓋から一端よりも離れて位置する。電気的接触面は、取付部の他端に取り付けられる。
【発明の効果】
【００２７】
本開示の現像カートリッジによれば、電気的接触面および記憶媒体を備えながら、小型を維持できる。
【図面の簡単な説明】
【００２８】
【図１】図１は、第１実施形態の現像カートリッジの斜視図である。
【図２】図２は、図１に示す現像カートリッジの中央断面図である。
【図３】図３は、図１に示す現像カートリッジを第３方向から見た側面図であって、ギアカバーを外した状態を示す。
【図４】図４は、図１に示す現像カートリッジを第２方向から見た側面図であって、ギアカバーを外した状態を示す。
【図５】図５は、図１に示す現像カートリッジが装着されたドラムカートリッジの側面図である。
【図６】図６は、図５に示すドラムカートリッジが画像形成装置に装着された状態において、現像カートリッジの電気的接触面と、画像形成装置の電気的コネクタとの接触を説明する説明図である。
【図７】図７は、第２実施形態の現像カートリッジの斜視図である。
【図８】図８は、図７に示す現像カートリッジを第３方向から見た側面図であって、ギアカバーを外した状態を示す。
【図９】図９は、図７に示す現像カートリッジを第２方向から見た側面図であって、ギアカバーを外した状態を示す。
【図１０】図１０は、図７に示す現像カートリッジが装着されたドラムカートリッジの斜視図である。
【図１１】図１１は、図８に示す現像カートリッジが画像形成装置に装着された状態において、現像カートリッジの電気的接触面と、画像形成装置の電気的コネクタとの接触を説明する説明図である。
【図１２】図１２は、第２実施形態の現像カートリッジの第１の変形例を示す斜視図である。
【図１３】図１３は、第２実施形態の現像カートリッジの第２の変形例を示す斜視図である。
【発明を実施するための形態】
【００２９】
１．現像カートリッジ１の概略
図１および図２を参照して、現像カートリッジ１の概略について説明する。
【００３０】
図１に示すように、現像カートリッジ１は、筐体２と、現像ローラ３（図２参照）と、供給ローラ４（図２参照）と、アジテータ５（図２参照）とを備える。
【００３１】
１．１  筐体２
筐体２は、現像剤を収容可能である。現像剤は、例えば、トナーである。詳しくは、図２に示すように、筐体２は、フレーム２Ａと、蓋２Ｂとを含む。蓋２Ｂは、フレーム２Ａと第１方向において向かい合う。筐体２は、フレーム２Ａと蓋２Ｂとの間に現像剤を収容可能である。筐体２は、第１方向において、一端部Ｅ１と、他端部Ｅ２とを有する。他端部Ｅ２は、第１方向において、一端部Ｅ１と離れて位置する。他端部Ｅ２は、一端部Ｅ１よりも蓋２Ｂの近くに位置する。また、筐体２は、第２方向において、一端部Ｅ１１と、他端部Ｅ１２とを有する。他端部Ｅ１２は、第２方向において、一端部Ｅ１１と離れて位置する。また、筐体２は、第３方向に延びる。
【００３２】
なお、第２方向は、第１軸Ａ１から第２軸Ａ２へ向かう方向である。第１軸Ａ１および第２軸Ａ２については、後で説明する。第２方向は、第１方向と交差する。また、第３方向は、第１軸Ａ１が延びる方向である。第３方向は、第１方向および第２方向と交差する。好ましくは、第３方向は、第１方向および第２方向と直交する。
【００３３】
１．２  現像ローラ３
現像ローラ３は、現像カートリッジ１が画像形成装置１００（図６参照）に装着された状態で、筐体２内の現像剤を感光ドラム３１の表面に供給する。画像形成装置１００および感光ドラム３１については、後述する。現像ローラ３は、第２方向における筐体２の一端部Ｅ１１に位置する。現像ローラ３は、第１軸Ａ１について回転可能である。第１軸Ａ１は、第３方向に延びる。現像ローラ３は、現像ローラ本体３Ａと、現像ローラシャフト３Ｂとを備える。
【００３４】
現像ローラ本体３Ａは、第３方向に延びる。現像ローラ本体３Ａは、導電性を有するゴムから作られる。現像ローラ本体３Ａは、円柱形状を有する。
【００３５】
現像ローラシャフト３Ｂは、第１軸Ａ１に沿って延びる。現像ローラシャフト３Ｂは、円柱形状を有する。現像ローラシャフト３Ｂは、金属から作られる。現像ローラシャフト３Ｂは、現像ローラ本体３Ａの径方向において、現像ローラ本体３Ａの内部に位置する。現像ローラシャフト３Ｂは、第３方向において、現像ローラ本体３Ａを貫通する。なお、現像ローラシャフト３Ｂは、現像ローラ本体３Ａを軸方向に貫通していなくてもよい。現像ローラシャフト３Ｂは、軸方向における現像ローラ本体３Ａの両端にそれぞれ取り付けられてもよい。現像ローラ３は、現像ローラシャフト３Ｂについて回転可能である。
【００３６】
１．３  供給ローラ４
供給ローラ４は、筐体２内の現像剤を現像ローラ３の外表面に供給する。供給ローラ４は、筐体２内に位置する。供給ローラ４は、現像ローラ３と接触する。供給ローラ４は、供給ローラ軸について回転可能である。供給ローラ軸は、第３方向に延びる。供給ローラ４は、供給ローラ本体４Ａと、供給ローラシャフト４Ｂとを備える。
【００３７】
供給ローラ本体４Ａは、第３方向に延びる。供給ローラ本体４Ａは、導電性のスポンジから作られる。供給ローラ本体４Ａは、円柱形状を有する。供給ローラ本体４Ａは、現像ローラ本体３Ａと接触する。
【００３８】
供給ローラシャフト４Ｂは、供給ローラ軸に沿って延びる。供給ローラシャフト４Ｂは、円柱形状を有する。供給ローラシャフト４Ｂは、金属から作られる。供給ローラシャフト４Ｂは、供給ローラ本体４Ａの径方向において、供給ローラ本体４Ａの内部に位置する。供給ローラシャフト４Ｂは、第３方向において、供給ローラ本体４Ａを貫通する。供給ローラ４は、供給ローラシャフト４Ｂについて回転可能である。
【００３９】
１．４  アジテータ５
アジテータ５は、現像剤を攪拌可能である。アジテータ５は、筐体２内に位置する。アジテータ５は、第２軸Ａ２について回転可能である。第２軸Ａ２は、第３方向に延びる。アジテータ５は、アジテータシャフト５Ａと、羽根５Ｂとを有する。
【００４０】
アジテータシャフト５Ａは、第２軸Ａ２に沿って延びる。アジテータシャフト５Ａは、第２軸Ａ２について回転可能である。
【００４１】
羽根５Ｂは、アジテータシャフト５Ａから延びる。羽根５Ｂは、アジテータシャフト５Ａとともに第２軸Ａ２について回転可能である。羽根５Ｂが回転することにより、筐体２内の現像剤は、撹拌される。羽根５Ｂは、樹脂から作られてもよく、フィルムから作られてもよい。
【００４２】
２．現像カートリッジ１の詳細
次に、図１、図３および図４を参照して、現像カートリッジ１の詳細について説明する。
【００４３】
現像カートリッジ１は、図３に示すように、カップリング１１と、現像ローラギア１２と、供給ローラギア１３と、第１アイドルギア１４と、第２アイドルギア１５と、アジテータギア１６と、突部１７と、ギアカバー１８（図１参照）と、記憶媒体１９（図１参照）と、電気的接触面２１とを備える。
【００４４】
２．１  カップリング１１
カップリング１１は、図３に示すように、第３方向におけるフレーム２Ａの外面Ｓ１に位置する。カップリング１１は、第２方向において、現像ローラ３とアジテータ５（図２参照）との間に位置する。カップリング１１は、第２方向において、第１軸Ａ１と第２軸Ａ２との間に位置する。カップリング１１は、第３軸Ａ３について回転可能である。第３軸Ａ３は、第３方向に延びる。カップリング１１は、継手１１Ａと、カップリングギア１１Ｂとを有する。
【００４５】
継手１１Ａは、現像カートリッジ１が画像形成装置１００（図６参照）に装着された状態で、画像形成装置１００から動力を受ける。詳しくは、継手１１Ａは、現像カートリッジ１が画像形成装置１００に装着された状態で、画像形成装置１００の本体カップリングと係合することにより、本体カップリングとともに第３軸Ａ３について回転可能になる。本体カップリングは、図示されていない。これにより、継手１１Ａは、現像カートリッジ１が画像形成装置１００に装着された状態で、本体カップリングから動力を受ける。継手１１Ａは、第３方向に延びる。継手１１Ａは、円筒形状を有する。より詳細には、継手１１Ａは、円形状の凹部１１１と、凹部１１１内に位置する突起１１２Ａ、１１２Ｂとを有する。突起１１２Ａおよび突起１１２Ｂのそれぞれは、第３方向に延びる。突起１１２Ａと突起１１２Ｂとは、継手１１Ａの径方向において、互いに間隔をあけて位置する。突起１１２Ｂは、継手１１Ａの径方向において、第３軸Ａ３に対して、突起１１２Ａの反対側に位置する。継手１１Ａと本体カップリングとが係合した状態で、突起１１２Ａおよび突起１１２Ｂは、継手１１Ａが回転する方向において、本体カップリングの一部と接触する。これにより、継手１１Ａと係合した本体カップリングが回転した場合、継手１１Ａは、突起１１２Ａおよび突起１１２Ｂによって本体カップリングから動力を受けて、回転する。
【００４６】
カップリングギア１１Ｂは、第３方向において、フレーム２Ａの外面Ｓ１と継手１１Ａとの間に位置する。カップリングギア１１Ｂは、継手１１Ａとともに回転可能である。
【００４７】
２．２  現像ローラギア１２
現像ローラギア１２は、図３に示すように、フレーム２Ａの外面Ｓ１に位置する。現像ローラギア１２は、現像ローラシャフト３Ｂに装着される。現像ローラギア１２は、現像ローラシャフト３Ｂとともに回転可能である。現像ローラギア１２は、カップリングギア１１Ｂと噛み合う。
【００４８】
２．３  供給ローラギア１３
供給ローラギア１３は、図３に示すように、フレーム２Ａの外面Ｓ１に位置する。供給ローラギア１３は、供給ローラシャフト４Ｂに装着される。供給ローラギア１３は、供給ローラシャフト４Ｂとともに回転可能である。供給ローラギア１３は、カップリングギア１１Ｂと噛み合う。
【００４９】
２．４  第１アイドルギア１４
第１アイドルギア１４は、図３に示すように、フレーム２Ａの外面Ｓ１に位置する。第１アイドルギア１４は、図４に示すように、第３方向において、第２アイドルギア１５と、フレーム２Ａの外面Ｓ１との間に位置する。第１アイドルギア１４は、第４軸Ａ４について回転可能である。第４軸Ａ４は、第３方向に延びる。第１アイドルギア１４は、カップリングギア１１Ｂと噛み合う。
【００５０】
２．５  第２アイドルギア１５
第２アイドルギア１５は、図３に示すように、フレーム２Ａの外面Ｓ１に位置する。第２アイドルギア１５は、図４に示すように、第３方向において、第１アイドルギア１４よりもフレーム２Ａの外面Ｓ１から離れて位置する。言いかえると、第２アイドルギア１５は、第３方向において、第１アイドルギア１４に対してフレーム２Ａの外面Ｓ１の反対側に位置する。第２アイドルギア１５は、第１アイドルギア１４とともに第４軸Ａ４について回転可能である。第２アイドルギア１５は、第１アイドルギア１４の径よりも小さな径を有する。
【００５１】
２．６  アジテータギア１６
アジテータギア１６は、図３に示すように、フレーム２Ａの外面Ｓ１に位置する。アジテータギア１６は、アジテータ５に装着される。詳しくは、アジテータギア１６は、アジテータシャフト５Ａに装着される。アジテータギア１６は、アジテータ５とともに回転可能である。アジテータギア１６は、第２アイドルギア１５に噛み合う。
【００５２】
２．７  突部１７
突部１７は、図３に示すように、フレーム２Ａの外面Ｓ１に位置する。突部１７は、第２方向において、第１軸Ａ１と第２軸Ａ２との間に位置する。突部１７は、現像ローラギア１２の歯先円Ｃ１と、カップリングギア１１Ｂの歯先円Ｃ２と、第１アイドルギア１４の歯先円Ｃ３と、第２アイドルギア１５の歯先円Ｃ４との外側に位置する。これにより、突部１７は、現像ローラギア１２、カップリングギア１１Ｂ、第１アイドルギア１４、第２アイドルギア１５と接触しない。突部１７は、図４に示すように、フレーム２Ａの外面Ｓ１から突出する。突部１７は、第３方向に延びる。突部１７は、第３方向において、アジテータギア１６と、フレーム２Ａの外面Ｓ１との間に位置する。突部１７は、アジテータギア１６と接触しない。突部１７は、現像カートリッジ１がドラムカートリッジ３０（図５参照）に装着されたときに、ドラムカートリッジ３０の一部により、感光ドラム３１に向かって押圧される。ドラムカートリッジ３０については、後述する。
【００５３】
２．８  ギアカバー１８
ギアカバー１８は、図１に示すように、カップリングギア１１Ｂ、供給ローラギア１３、第１アイドルギア１４、第２アイドルギア１５およびアジテータギア１６を覆う。なお、ギアカバー１８は、カップリングギア１１Ｂ、供給ローラギア１３、第１アイドルギア１４、第２アイドルギア１５およびアジテータギア１６の少なくとも一部を覆っていればよい。ギアカバー１８は、フレーム２Ａの外面Ｓ１に取り付けられる。ギアカバー１８は、取付部２０を有する。
【００５４】
取付部２０は、第２方向において、フレーム２Ａの一端部Ｅ１１よりも他端部Ｅ１２の近くに位置する。取付部２０は、第２方向において、アジテータギア１６（図３参照）と、フレーム２Ａの他端部Ｅ１２との間に位置する。また、取付部２０は、第１方向において、他端部Ｅ２よりも一端部Ｅ１の近くに位置する。
【００５５】
取付部２０は、第３方向に延びる。取付部２０は、角筒形状を有する。取付部２０は、第１方向において、第１面２０Ａと第２面２０Ｂとを有する。第１面２０Ａは、第１方向において、一端部Ｅ１よりも他端部Ｅ２から離れて位置する。言い換えると、第１面２０Ａは、第１方向において、一端部Ｅ１に対して他端部Ｅ２の反対側に位置する。第２面２０Ｂは、第１方向において、第１面２０Ａと、他端部Ｅ２との間に位置する。
【００５６】
２．９  記憶媒体１９
記憶媒体１９は、図１に示すように、取付部２０に取り付けられる。詳しくは、記憶媒体１９は、取付部２０の第１面２０Ａに取り付けられる。記憶媒体１９は、ＩＣチップである。記憶媒体１９は、第３方向に延びる。記憶媒体１９は、平板形状を有する。記憶媒体１９は、現像カートリッジ１に関するデータを記憶する。現像カートリッジ１に関するデータは、例えば、現像カートリッジ１が収容する現像剤の色に関するデータ、現像カートリッジ１が新品であるから旧品であるかに関するデータ、現像カートリッジ１が印刷可能な用紙の枚数（またはドットカウント）に関するデータの少なくとも１つなどである。
【００５７】
２．１０  電気的接触面２１
電気的接触面２１は、記憶媒体１９の表面に位置する。すなわち、本実施形態では、記憶媒体１９は、電気的接触面２１を有する。電気的接触面２１は、取付部２０の第１面２０Ａに取り付けられる。電気的接触面２１は、記憶媒体１９と電気的に接続される。電気的接触面２１は、記憶媒体１９が取付部２０に取り付けられた状態で、第３方向に延びる。電気的接触面２１は、複数である。具体的には、電気的接触面２１は、４つである。４つの電気的接触面２１は、第３方向に並ぶ。なお、電気的接触面２１は、１つであってもよい。
【００５８】
２．１１  記憶媒体１９および電気的接触面２１の位置
記憶媒体１９は、図３に示すように、第２方向において、アジテータギア１６よりも現像ローラ３から離れて位置する。言い換えると、記憶媒体１９は、第２方向において、アジテータギア１６に対して、現像ローラ３の反対側に位置する。すなわち、アジテータギア１６は、第２方向において、現像ローラ３と記憶媒体１９との間に位置する。また、記憶媒体１９は、第２方向において、アジテータギア１６と、フレーム２Ａの他端部Ｅ１２との間に位置する。
【００５９】
また、記憶媒体１９は、第１方向において、他端部Ｅ２よりも一端部Ｅ１の近くに位置する。記憶媒体１９は、第１方向において、一端部Ｅ１に対して、他端部Ｅ２の反対側に位置する。言い換えると、一端部Ｅ１は、第１方向において、他端部Ｅ２と記憶媒体１９との間に位置する。
【００６０】
また、記憶媒体１９は、カップリングギア１１Ｂの歯先円Ｃ２と、第１アイドルギア１４の歯先円Ｃ３と、第２アイドルギア１５の歯先円Ｃ４との外側に位置する。
【００６１】
また、図４に示すように、記憶媒体１９の少なくとも一部は、第３方向において、フレーム２Ａの外面Ｓ１からアジテータギア１６よりも離れて位置する。記憶媒体１９の少なくとも一部は、第３方向において、アジテータギア１６に対して、フレーム２Ａの外面Ｓ１の反対側に位置する。
【００６２】
また、電気的接触面２１は、図３に示すように、第２方向において、アジテータギア１６よりも現像ローラ３から離れて位置する。言い換えると、電気的接触面２１は、第２方向において、アジテータギア１６に対して、現像ローラ３の反対側に位置する。すなわち、アジテータギア１６は、第２方向において、現像ローラ３と電気的接触面２１との間に位置する。また、電気的接触面２１は、第２方向において、アジテータギア１６と、フレーム２Ａの他端部Ｅ１２との間に位置する。
【００６３】
また、電気的接触面２１は、第１方向において、他端部Ｅ２よりも一端部Ｅ１の近くに位置する。電気的接触面２１は、第１方向において、一端部Ｅ１に対して、他端部Ｅ２の反対側に位置する。言い換えると、一端部Ｅ１は、第１方向において、他端部Ｅ２と記憶媒体１９との間に位置する。
【００６４】
また、電気的接触面２１は、カップリングギア１１Ｂの歯先円Ｃ２と、第１アイドルギア１４の歯先円Ｃ３と、第２アイドルギア１５の歯先円Ｃ４との外側に位置する。
【００６５】
また、図４に示すように、電気的接触面２１の少なくとも一部は、第３方向において、フレーム２Ａの外面Ｓ１からアジテータギア１６よりも離れて位置する。言い換えると、電気的接触面２１の少なくとも一部は、第３方向において、アジテータギア１６に対して、フレーム２Ａの外面Ｓ１の反対側に位置する。
【００６６】
３．ドラムカートリッジ３０に対する現像カートリッジ１の装着状態
次に、図５を参照して、ドラムカートリッジ３０に対する現像カートリッジ１の装着状態について説明する。
【００６７】
現像カートリッジ１は、図５に示すように、ドラムカートリッジ３０に装着可能である。
【００６８】
ドラムカートリッジ３０は、画像形成装置１００（図６参照）に装着可能である。より詳細には、現像カートリッジ１がドラムカートリッジ３０に装着された状態で、ドラムカートリッジ３０は、画像形成装置１００に装着可能である。ドラムカートリッジ３０は、感光ドラム３１と、ドラムフレーム３２とを備える。
【００６９】
感光ドラム３１は、現像カートリッジ１がドラムカートリッジ３０に装着された状態で、現像ローラ３と接触する。感光ドラム３１は、第３方向に延びる。感光ドラム３１は、円筒形状を有する。
【００７０】
ドラムフレーム３２は、感光ドラム３１を回転可能に支持する。ドラムフレーム３２は、第２方向において、一端部Ｅ３１と他端部Ｅ３２とを有する。他端部Ｅ３２は、第２方向において一端部Ｅ３１から離れて位置する。他端部Ｅ３２は、第２方向において、感光ドラム３１に対して、一端部Ｅ３１の反対側に位置する。すなわち、感光ドラム３１は、第２方向において、一端部Ｅ３１と他端部Ｅ３２との間に位置する。他端部Ｅ３２は、第２方向において、一端部Ｅ３１よりも感光ドラム３１から離れて位置する。すなわち、感光ドラム３１は、第２方向において、他端部Ｅ３２よりも一端部Ｅ３１の近くに位置する。
【００７１】
そして、現像カートリッジ１がドラムカートリッジ３０に装着された状態で、第２方向において、フレーム２Ａの他端部Ｅ１２は、ドラムフレーム３２の他端部Ｅ３２に対して、感光ドラム３１の反対側に位置する。言い換えると、現像カートリッジ１がドラムカートリッジ３０に装着された状態で、第２方向において、ドラムフレーム３２の他端部Ｅ３２は、感光ドラム３１と、フレーム２Ａの他端部Ｅ１２との間に位置する。
【００７２】
また、現像カートリッジ１がドラムカートリッジ３０に装着された状態で、記憶媒体１９は、ドラムフレーム３２から露出する。すなわち、現像カートリッジ１がドラムカートリッジ３０に装着された状態で、電気的接触面２１は、ドラムフレーム３２から露出する。
【００７３】
詳しくは、現像カートリッジ１がドラムカートリッジ３０に装着された状態で、記憶媒体１９は、第２方向において、ドラムフレーム３２の他端部Ｅ３２に対して感光ドラム３１の反対側に位置する。また、現像カートリッジ１がドラムカートリッジ３０に装着された状態で、記憶媒体１９は、第２方向において、ドラムフレーム３２の他端部Ｅ３２と、フレーム２Ａの他端部Ｅ１２との間に位置する。
【００７４】
すなわち、現像カートリッジ１がドラムカートリッジ３０に装着された状態で、電気的接触面２１は、第２方向において、ドラムフレーム３２の他端部Ｅ３２に対して感光ドラム３１の反対側に位置する。また、現像カートリッジ１がドラムカートリッジ３０に装着された状態で、電気的接触面２１は、第２方向において、ドラムフレーム３２の他端部Ｅ３２と、フレーム２Ａの他端部Ｅ１２との間に位置する。
【００７５】
４．現像カートリッジ１の使用態様
次に、図６を参照して、現像カートリッジ１の使用態様について説明する。
【００７６】
図６に示すように、現像カートリッジ１が装着されたドラムカートリッジ３０は、画像形成装置１００に装着される。
【００７７】
画像形成装置１００は、電気的コネクタ１０１を備える。現像カートリッジ１が装着されたドラムカートリッジ３０が画像形成装置１００に装着された状態で、電気的コネクタ１０１は、記憶媒体１９の電気的接触面２１と接触する。これにより、画像形成装置１００は、記憶媒体１９に記憶されたデータを読み取り可能になる。なお、画像形成装置１００は、記憶媒体１９にデータを書き込み可能であってもよい。
【００７８】
５．作用効果
現像カートリッジ１によれば、図３に示すように、電気的接触面２１は、現像ローラ３、カップリング１１およびアジテータギア１６を避けたスペースに配置される。
【００７９】
詳しくは、電気的接触面２１は、第２方向において、現像ローラ３からカップリング１１よりも離れて位置し、第１方向において、他端部Ｅ２よりも一端部Ｅ１の近く、すなわち、筐体２の蓋２Ｂから離れて位置する。つまり、電気的接触面２１は、現像ローラ３やカップリング１１から離れたスペースであって、筐体２の蓋２Ｂから離れたスペースを利用して配置される。
【００８０】
これにより、現像カートリッジ１の大型化を抑制しつつ、現像カートリッジ１に電気的接触面２１および記憶媒体１９を設けることができる。言い換えると、現像カートリッジ１は、電気的接触面２１および記憶媒体１９を備えながら、小型を維持できる。
【００８１】
６．第２実施形態
以下、図７から図１１を参照して、第２実施形態について説明する。第２実施形態の説明において、第１実施形態と同様の部材には同じ符号を付し、説明を省略する。
【００８２】
６．１  取付部４０
現像カートリッジ１は、図７に示すように、取付部４０を備える。
【００８３】
取付部４０は、フレーム２Ａの外面Ｓ１に位置する。取付部４０は、第３方向において、ギアカバー１８とフレーム２Ａの外面Ｓ１との間に位置する。
【００８４】
また、図９に示すように、取付部４０は、第３方向において、アジテータギア１６とフレーム２Ａの外面Ｓ１との間に位置する。
【００８５】
また、図８に示すように、取付部４０は、第２方向において、現像ローラ３からカップリング１１よりも離れて位置する。取付部４０は、第２方向において、カップリング１１に対して現像ローラ３の反対側に位置する。取付部４０は、アジテータギア１６の近くに位置する。詳しくは、取付部４０は、第２方向において、フレーム２Ａの一端部Ｅ１１よりもアジテータギア１６の近くに位置し、かつ、フレーム２Ａの他端部Ｅ１２よりもアジテータギア１６の近くに位置する。
【００８６】
取付部４０は、フレーム２Ａの外面Ｓ１から延びる。取付部４０は、第１方向に延びる。取付部４０は、角柱形状を有する。取付部４０は、第１方向において、一端４０Ａと、他端４０Ｂとを有する。他端４０Ｂは、第１方向において、蓋２Ｂから一端４０Ａよりも離れて位置する。他端４０Ｂは、第１方向において、一端４０Ａに対して、蓋２Ｂの反対側に位置する。また、他端４０Ｂは、蓋２Ｂから、一端部Ｅ１よりも離れて位置する。他端４０Ｂは、一端部Ｅ１に対して、蓋２Ｂの反対側に位置する。
【００８７】
６．２  記憶媒体１９および電気的接触面２１の位置
図７および図８に示すように、記憶媒体１９は、取付部４０の他端４０Ｂに取り付けられる。すなわち、電気的接触面２１は、取付部４０の他端４０Ｂに取り付けられる。
【００８８】
記憶媒体１９は、第２方向において、現像ローラ３からカップリング１１よりも離れて位置する。記憶媒体１９は、第２方向において、カップリング１１に対して現像ローラ３の反対側に位置する。記憶媒体１９は、アジテータギア１６の近くに位置する。詳しくは、記憶媒体１９は、第２方向において、フレーム２Ａの一端部Ｅ１１よりもアジテータギア１６の近くに位置し、かつ、フレーム２Ａの他端部Ｅ１２よりもアジテータギア１６の近くに位置する。
【００８９】
また、記憶媒体１９は、第１方向において、他端部Ｅ２よりも一端部Ｅ１の近くに位置する。記憶媒体１９は、第１方向において、他端部Ｅ２から一端部Ｅ１よりも離れて位置する。記憶媒体１９は、第１方向において、一端部Ｅ１に対して、他端部Ｅ２の反対側に位置する。
【００９０】
また、電気的接触面２１は、第２方向において、現像ローラ３からカップリング１１よりも離れて位置する。電気的接触面２１は、第２方向において、カップリング１１に対して現像ローラ３の反対側に位置する。電気的接触面２１は、アジテータギア１６の近くに位置する。詳しくは、電気的接触面２１は、第２方向において、フレーム２Ａの一端部Ｅ１１よりもアジテータギア１６の近くに位置し、かつ、フレーム２Ａの他端部Ｅ１２よりもアジテータギア１６の近くに位置する。
【００９１】
電気的接触面２１は、第１方向において、他端部Ｅ２よりも一端部Ｅ１の近くに位置する。電気的接触面２１は、第１方向において、他端部Ｅ２から一端部Ｅ１よりも離れて位置する。電気的接触面２１は、第１方向において、一端部Ｅ１に対して、他端部Ｅ２の反対側に位置する。
【００９２】
また、記憶媒体１９は、図９に示すように、第３方向において、アジテータギア１６とフレーム２Ａの外面Ｓ１との間に位置する。電気的接触面２１は、第３方向において、アジテータギア１６とフレーム２Ａの外面Ｓ１との間に位置する。
【００９３】
６．３  ドラムカートリッジ３０に対する現像カートリッジ１の装着状態
図１０に示すように、ドラムフレーム３２は、開口３２Ａを有する。開口３２Ａは、第２方向において、ドラムフレーム３２の一端部Ｅ３１と他端部Ｅ３２との間に位置する。
【００９４】
現像カートリッジ１がドラムカートリッジ３０に装着された状態で、電気的接触面２１は、ドラムフレーム３２の開口３２Ａから露出する。
【００９５】
そして、図１１に示すように、現像カートリッジ１が装着されたドラムカートリッジ３０が画像形成装置１００に装着された状態で、電気的コネクタ１０１は、記憶媒体１９の電気的接触面２１と接触する。
【００９６】
６．４  第２実施形態の作用効果
第２実施形態によれば、電気的接触面２１は、図９に示すように、第３方向において、アジテータギア１６と、フレーム２Ａの外面Ｓ１との間のスペースを利用して配置される。
【００９７】
これにより、特に、第３方向における現像カートリッジ１の大型化を抑制しつつ、現像カートリッジ１に電気的接触面２１および記憶媒体１９を設けることができる。
【００９８】
６．５  第２実施形態の変形例
なお、図１２および図１３に示すように、ドラムフレーム３２は、第３方向に延びる開口５１を有し、現像カートリッジ１がドラムカートリッジ３０に装着された状態で、電気的接触面２１は、開口５１の近くに位置してもよい。開口５１は、現像カートリッジ１が装着されたドラムカートリッジ３０が画像形成装置１００に装着された状態で、感光ドラム３１に向かう印刷媒体が通過する開口である。電気的接触面２１は、現像カートリッジ１がドラムカートリッジ３０に装着された状態で、第３方向において、開口５１と異なる位置に位置する。これにより、電気的接触面２１は、開口５１を通過する印刷媒体と接触しない。
【００９９】
７．  記憶媒体の位置についての変形例
記憶媒体１９が電気的接触面２１を有さず、電気的接触面２１は、記憶媒体１９から離れて位置していてもよい。この場合、少なくとも電気的接触面２１は、第２方向において、アジテータギア１６よりも現像ローラ３から離れて位置し、第１方向において、他端部Ｅ２よりも一端部Ｅ１の近くに位置し、第３方向において、フレーム２Ａの外面Ｓ１からアジテータギア１６よりも離れて位置する。
【０１００】
一方、記憶媒体１９は、第２方向において、アジテータギア１６よりも現像ローラ３から離れて位置しなくてもよい。また、記憶媒体１９は、第１方向において、他端部Ｅ２よりも一端部Ｅ１の近くに位置しなくてもよい。また、記憶媒体１９は、第３方向において、フレーム２Ａの外面Ｓ１からアジテータギア１６よりも離れて位置しなくてもよい。
【０１０１】
記憶媒体１９は、配線を介して、電気的接触面２１と電気的に接続されてもよい。
【符号の説明】
【０１０２】
１      現像カートリッジ
２      筐体
２Ａ    フレーム
２Ｂ    蓋
３      現像ローラ
５      アジテータ
１１    カップリング
１１Ｂ  カップリングギア
１４    第１アイドルギア
１５    第２アイドルギア
１６    アジテータギア
１９    記憶媒体
２１    電気的接触面
３０    ドラムカートリッジ
３１    感光ドラム
３２    ドラムフレーム
３２Ｃ  開口
Ａ１    第１軸
Ａ２    第２軸
Ａ３    第３軸
Ａ４    第４軸
Ｅ１    一端部
Ｅ２    他端部
Ｅ３１  一端部
Ｅ３２  他端部
Ｓ１    外面
【図１】
2019174626.tif 000003
【図２】
2019174626.tif 000004
【図３】
2019174626.tif 000005
【図４】
2019174626.tif 000006
【図５】
2019174626.tif 000007
【図６】
2019174626.tif 000008
【図７】
2019174626.tif 000009
【図８】
2019174626.tif 000010
【図９】
2019174626.tif 000011
【図１０】
2019174626.tif 000012
【図１１】
2019174626.tif 000013
【図１２】
2019174626.tif 000014
【図１３】
2019174626.tif 000015